【事件の表示】
　特許第３３０７３８８号「散布作業車」の請求項１に係る特許に対する特許異議の申立てについて、次のとおり決定する。
【結　論】
　訂正を認める。
　特許第３３０７３８８号の請求項１に係る特許を取り消す。
【理　由】
第１　手続の経緯
（１）原特許出願：平成２年２月２８日（特願平２−４９９９２号）
（２）第１分割出願：平成９年５月１５日（特願平９−１２５６５８号）
（３）第２分割出願：平成１１年４月８日（特願平１１−１０１３０５号）
（４）第３分割出願（本件出願）：平成１３年５月１０日（特願２００１−　　　１３９９５９号）
（５）手続補正書の提出：平成１４年２月７日
（６）特許権の設定登録：平成１４年５月１７日
（７）特許掲載公報の発行：平成１４年７月２４日
（８）特許異議の申立て：平成１５年１月１０日(申立人：株式会社　共立)
（９）特許異議申立副本の発送：平成１５年３月２８日
（10）取消理由の通知:平成１５年４月１８日(発送:平成１５年４月３０日)
（11）特許異議意見書、訂正請求書の提出：平成１５年６月３０日
　
第２　訂正の適否についての当審の判断
１．訂正の内容
　上記第１（１１）の訂正請求書による訂正の内容は、次のとおりである。
（１）特許請求の範囲に係る訂正
　登録時の明細書(以下、「原明細書」という。)の特許請求の範囲に、
「【請求項１】車体の前後部に略同径の前輪と後輪を備えると共に機体幅方向に一定幅のフロアを有する散布作業車において、車体の前部には薬液散布ブームを、後輪の上方には薬液タンクを着脱可能に設けてこの薬液タンクを後方から押さえて固定する構成とし、さらに前記前輪と後輪の間であって左右方向の中央位置には運転席を設け、この運転席は薬液タンクで横側方と後方が覆われ、前記散布ブームは、側面視でブームの後側が前側よりも高くなる傾斜姿勢で収納保持されることを特徴とする散布作業車。」とあるのを、
「【請求項１】車体の前後部に略同径の前輪と後輪を備えると共に機体幅方向に一定幅のフロアを有する散布作業車において、車体の前部には薬液散布ブームを、後輪の上方には薬液タンクを着脱可能に設け
、薬液タンクの後部に設けた固定溝に対してタンク固着具の固定バーを後方から当接させて固定する構成とし
　
（２）発明の詳細な説明に係る訂正
　上記（１）の特許請求の範囲の訂正に整合させるため、原明細書の発明の詳細な説明において、段落【０００３】の【課題を解決するための手段】、段落【００１５】の【発明の効果】の記載を訂正する。（平成１５年６月３０日付けの訂正請求書における訂正事項ｂ及び訂正事項ｃに対応する。）
　
２．訂正の目的の適否、新規事項の有無及び拡張・変更の存否
　特許請求の範囲に係る訂正は、原明細書の段落【００１１】の「液体タンク３２は、図３、及び図４に示すように、この上部に投入口４２を開口している。そして上面視で、前方を開放した上下凹部３３を設け、この上下凹部３３の先端部を一定距離だけ残して左右下部を連結し前後凹部３４を形成した構成となっている。また、タンク３２の後部には左右一定長さのタンク固定溝４０を形成している。」、段落【００１２】の「そして、液体タンク３２を車体に取り付ける時には、前記上下凹部３３内に運転座席４を挟み込み、前後凹部３４の先端部が支持フレーム６に規制されるまで同タンク３２を押し込む。そして、リヤヒッチ２９に設けたタンク固着具３５の固定バー４１を前記固定溝４０に当接した状態で、この固定バー４１を締め付けネジ３６にて締め付けて固定する。」の記載、及び図３、図４の記載に基づいて、原明細書の請求項１の「薬液タンクを後方から押さえて固定する構成」を、「薬液タンクの後部に設けた固定溝に対してタンク固着具の固定バーを後方から当接させて固定する構成」とすることにより、薬液タンクを後方から押さえて固定する構成を具体化し、その構成を限定することを求めるものであって、特許請求の範囲の減縮を目的とするものであり、新規事項の追加に該当せず、実質上特許請求の範囲を拡張し、変更するものではない。
　また、上記発明の詳細な説明に係る訂正は、特許請求の範囲に係る訂正に整合させるためのものであり、明りょうでない記載の釈明を目的とするものであって、新規事項の追加に該当せず、実質上特許請求の範囲を拡張し、変更するものではない。
　
３．訂正の適否についてのむすび
　以上のとおりであるから、上記訂正は、特許法等の一部を改正する法律(平成１５年法律第４７号)附則第１条第７項の規定によりなお従前の例によるとされ、さらに特許法等の一部を改正する法律(平成６年法律第１１６号)附則第６条第１項の規定によりなお従前の例によるとされる、平成１５年法律第４７号による改正前の特許法第１２０条の４第３項において準用する平成６年法律第１１６号による改正前の第１２６条第１項ただし書き及び第２項の規定に適合するので、当該訂正を認める。
　
第３　異議申立て、取消理由の概要
　特許異議申立人　株式会社　共立が、平成１５年１月１０日付けの特許異議申立書(以下、「申立書」という。)で主張している異議申立ての理由は、概略、次のとおりである。
「本件特許発明の請求項１に係る発明は、実願昭６２−１２１３８４号（実開昭６４−２８９７９号）のマイクロフィルム（申立書における甲第１号証、以下、「引用例１」という。）、実公昭６３−４４１２８号公報（申立書における甲第２号証、以下、「引用例２」という。）、実公昭６１−１５９８８号公報（申立書における甲第３号証）ないし実公平１−４２４１３号公報（異議申立ての甲第４号証、以下、「引用例３」という。）に記載された発明に基づいて、当業者が容易に発明をすることができたものであるから、特許法第２９条第２項の規定により特許を受けることができないものである。」
　また、当審が平成１５年７月４日付けで通知した取消理由は、概略、次のとおりである。
「本件特許発明の請求項１に係る発明は、引用例１、引用例２、引用例３に記載された発明及び周知の技術事項に基づいて、当業者が容易に発明をすることができたものであるから、特許法第２９条第２項の規定により特許を受けることができない。
　したがって、本件発明の特許は、拒絶の査定をしなければならない特許出願に対してなされたものである。」
　
第４　特許異議申立てについての当審の判断
１．本件発明
　上記第２で述べたとおり、平成１５年６月３０日付けの訂正請求書による明細書の訂正が認められるから、本件特許第３３０７３８８号の請求項１に係る発明（以下、「本件発明」という。）は、上記第２の１．（１）に記載した、訂正後の特許請求の範囲の請求項１に記載されたとおりのものと認める。
　
２．各引用例に記載された発明
（１）引用例１に記載された発明
　引用例１には、次の記載がなされている。
（ａ）「第１図ないし第４図において、フレーム１は前車軸２及び後車軸３にそれぞれ取り付けた前車輪４及び後車輪５上に走行可能に支承されており、このフレーム１上には原動機６，動力噴霧器７、薬剤タンク８が搭載されている。」(明細書第５頁４〜９行）
（ｂ）「（４）オペレータを機体の中心に乗れるようにして・・・」（明細書第７頁１８〜１９行)
（ｃ）特に第１図〜第３図を参照すれば、後車輪５の上方に薬剤タンク８を設け、この薬剤タンク８を固定する構成とすること、及びオペレータが座る席が薬剤タンク８で横側方の一部と後方が覆われていることが看取できる。
　
　これらの記載及び図面を総合すると、引用例１には、次のような発明（以下、「引用発明１」が記載されているものと認められる。
「車体の前後部に略同径の前車輪４と後車輪５を備えると共に機体幅方向に一定幅のフレーム１を有するスプレーヤにおいて、
　後車輪５の上方には薬剤タンク８を設けてこの薬剤タンク８を固定する構成とし、
　さらに前記前車輪４と後車輪５の間であって左右方向の中央位置にはオペレータが座る席を設け、
　このオペレータが座る席は薬剤タンク８で横側方の一部と後方が覆われているスプレーヤ。」
　　
（２）引用例２に記載された発明
　引用例２には、次の記載がなされている。
（ａ）「以下、本考案の一実施例を図面に基づいて詳述する。第１図は高架形管理作業車の全体側面図、第２図は同平面図であり、同図中１，２は断面四角形状の前後車体フレーム、３は前記後車体フレーム２に後端側を固定する胴部車体フレーム、・・・・・８ａ，８ｂは左右の前アクスルフレーム７，７の下端部に軸架させる走行用前車輪、９ａ，９ｂは前アクスルケース５ａ，５ｂに一体的に組込む前車輪駆動用の油圧モータ、１０ａ，１０ｂは後車体フレーム２の両端に位置決めピン１１，１１を介し摺動着脱可能に取付ける左右の後アクスルケース、１２ａ，１２ｂは後アクスルケース１０ａ，１０ｂの下方に後アクスルフレーム１３，１３を介し軸架させる走行用後車輪、・・・・・１７は前記胴部車体フレーム３右側の前後輪８ｂ，１２ｂ間略中央に運転フレーム１８を固定させて運転席１９及び操向用ハンドル２０などを装備する運転操作部、・・・・・、３９は前記噴霧管３７を折畳み可能に支持するブームであり、通常の路上走行時においては前記噴霧器３７の左右両側を機体側方に沿わせる如く折畳み操作する一方、タバコ栽培畝或いは茶栽培畝などを跨いでの噴霧作業時には前記噴霧管３７を機体外側に水平状に拡張させて、その機体走行時本機に搭載する防除タンク４０，４１内の薬液を薬液ポンプ３６及び噴霧管３７を介し多数の噴霧ノズル４２より圃場に均一散布させるように構成している。
　第３図にも示す如く、前記防除タンク４０，４１は機体の前後に分離させて配設するもので、前記胴部車体フレーム３に前後支持フレーム４３，４４を介し前部防除タンク４０を配設すると共に、前記フレーム３後端に固設するタンク載置台４５にターンバツクル４６付固定金具４７を介して後部防除タンク４１を装設し、これらタンク４０，４１間を薬液連通路である薬液連通管４８を介し接続させている。」（第１頁第２欄５行〜第２頁第４欄１行）
（ｂ）「ところで、第４図及び第６図に示す如く前記タンク４０，４１は上下二つの貼り合せで構成するもので、タンク上部体７０，７１の下縁に段付接合部７２，７３を形成し、タンク下部体７４，７５の上縁に形成する折曲端面７６，７７を前記接合部７２，７３の段付面７２ａ，７３ａに固着させてパーテイングラインを形成させると共に、前記接合部７２，７３の覆板７２ｂ，７３ｂに複数開設させる取付孔７８，７９に前記固定金具４７の一端を掛止させるように構成している。」（第３頁第５欄１５〜２４行））
（ｃ）「さらに、第７図にも示す如く前記噴霧管３７はブーム３９と一体的に機体の前部及び後部に取替可能に設けたもので、前記防除機フレーム３５の後端及び左右の胴部連体フレーム３前端間を横架させるフロントバンパー８３にそれぞれヒツチブラケツト８９，９０を固設させ、該ヒツチブラケツト８９，９０に前記ブーム３９の中央ブーム３９ａをヒツチピン９１を介し着脱可能に連結支持させるように設けて、作業中風を第７図仮想線矢印方向の如く機体前方より受ける状態のとき前記噴霧管３７を機体後部の前記ヒツチブラケツト８９に装着させると共に、同図実線矢印方向の如く風を機体後方より受ける状態のとき前記噴霧管３７を機体前部の前記ヒツチブラケツト９０に装着させて運転席１９に薬液が及ぶのを回避させて作業を行うように構成している。」（第３頁第６欄２〜１７行）
　
　これらの記載及び図面を総合すると、引用例２には、次のような発明（以下、「引用発明２」という。）が記載されているものと認められる。
「車体の前後部に略同径の前車輪８ａ，８ｂと後車輪１２ａ，１２ｂを備える農作業車において、
　車体の前部にはブーム３９を、後車輪１２ａ，１２ｂの上方には後部薬液タンク４１を着脱可能に設けて、この後部薬液タンク４１をその前後に設けた取付孔７９に対してターンバックル付き固定金具４７の一端を掛止めして固定する構成とし、
　さらに前記前車輪８ａ，８ｂと後車輪１２ａ，１２ｂの間には運転席１９を設け、
　前記ブーム３９は、側面視でブーム３９の後側が前側よりも高くなる傾斜姿勢で収納保持される農作業車。」　
　
（３）引用例３に記載された発明
　引用例３には、次の記載がなされている。
「 第１図に示すように、左右一対の前輪１，１、左右一対の後輪２，２、及び、運転席３等を備えた乗用車体・・・・・。そして、前記各作溝器１１に供給する粉粒状肥料を貯留する平面視形状Ｕ字状のタンク１２を、運転席３を囲む状態で車体に設け、周部に肥料係入用凹溝１３ａが形成された肥料繰出し用回転体１３を、前記タンク１２の後端側部分に形成した左右一対の吐出口１２ａ，１２ａの夫々に設けるとともに、各吐出口１２ａと各作溝器１０とを接続するホース１４を設け、もつて、機体進行に伴い苗植付作業と同時に施肥作業を行なえるように構成してある。」（第２頁第３欄４１行〜同第４欄２１行）
　
　この記載及び特に、第１図、第２図を総合すると、引用例３には、次のような発明（以下、「引用発明３」という。）が記載されているものと認められる。
「車体の前後部に前輪１，１と後輪２，２を備える施肥装置付き田植機において、
　後輪２，２の上側には肥料貯留タンク１２を設けてこの肥料貯留タンク１２を固定する構成とし、
　さらに前記前輪１，１と後輪２，２の間であって左右方向の中央位置には運転席３を設け、
　この運転席３は肥料貯留タンク１２で横側方と後方が覆われている施肥装置付き田植機。」
　　
３．本件発明と引用発明１との対比
　本件発明と引用発明１を対比すると、後者の「前車輪４」は、その技術的意義に照らして、前者の「前輪」に相当し、以下同様に、後者の「後車輪５」は前者の「後輪」に、後者の「スプレーヤ」は前者の「散布作業車」に、後者の「オペレータが座る席」は前者の「運転席」に、そして、後者の「薬剤タンク８」は前者の「薬液タンク」にそれぞれ相当するから、両者の一致点及び相違点は、次のとおりである。
＜一致点＞
　車体の前後部に略同径の前輪と後輪を備える散布作業車において、後輪の上方には薬液タンクを設けてこの薬液タンクを固定する構成とし、さらに前記前輪と後輪の間であって左右方向の中央位置には運転席を設け、この運転席は薬液タンクで横側方の一部と後方が覆われている散布作業車。
＜相違点＞
（１）フロアの態様について、本件発明では、「機体幅方向に一定幅のフロアを有する」となっているのに対し、引用発明１では、「機体幅方向に一定幅のフレーム１を有する」となっている点（以下、「相違点１」という。）。
（２）薬液散布ブームの取付け態様について、本件発明では、「車体の前部には薬液散布ブームを」設け、「前記散布ブームは、側面視でブームの後側が前側よりも高くなる傾斜姿勢で収納保持される」となっているのに対し、引用発明１では、このように特定されていない点（以下、「相違点２」という。）。
（３）薬液タンクを固定する態様について、本件発明では、「薬液タンクを着脱可能に設け、薬液タンクの後部に設けた固定溝に対してタンク固着具の固定バーを後方から当接させて固定する構成とし」となっているのに対し、引用発明１では、「薬剤タンク８（薬液タンク）を設けてこの薬剤タンク８（薬液タンク）を固定する構成とし」となっている点（以下、「相違点３」という。）。
（４）運転席と薬液タンクの関係について、本件発明では、「運転席は薬液タンクで横側方と後方が覆われ」となっているのに対し、引用発明１では、「オペレータが座る席（運転席）は薬剤タンク８（薬液タンク）で横側方の一部と後方が覆われ」となっている点（以下、「相違点４」という。）。
　
４．相違点についての検討及び判断
（１）相違点１について
　一般に、フロアは、引用発明１においても適宜設けられるものであって、その機体幅方向の幅は、運転者の居住性、機体全体から得られるスペースの余裕度、機枠の構成等を考慮して、適宜選定される事項である。
　そして、引用発明１では、「機体幅方向に一定幅のフレーム１」といったフレームの構成等からみて、「機体幅方向に一定幅のフロア」を設けることが困難な構成であるとはいえない。
　してみると、相違点１に係る本件発明の構成要件は、引用発明１の実施に際し、当業者が必要に応じ適宜実施することができたものというべきである。
　
（２）相違点２について
　前述のとおり、引用発明２には、本件発明の散布ブームに相当するブーム３９を、側面視でブーム３９の後側が前側よりも高くなる傾斜姿勢で収納保持する取付け手段が示されている。
　そして、引用発明１において、引用発明２のブームの取付け態様についての技術思想を適用することを妨げる特段の事情も見当たらない。
　してみると、相違点１に係る本件発明の構成要件は、引用発明１に引用発明２のブームの取付け態様についての技術思想を適用することにより、当業者が容易に想到することができたものというべきである。
　
（３）相違点３について
　薬液タンクを着脱可能に設けること自体は、周知の技術的事項であって、着脱可能な固定態様としても各種分野で利用されている態様が適宜採用されているものと解されるところ、引用発明２の薬液タンクを固定する態様についてみると、各種分野で利用されている固定手段の一種である「後部薬液タンク４１を着脱可能に設けて、この後部薬液タンク４１をその前後に設けた取付孔７９に対してターンバックル付き固定金具４７の一端を掛止めして固定する」手段が採用されている。
　そして、上記した引用発明２の薬液タンクを固定する手段であっても、後部側取付孔７９とそれに対して掛け止めしたターンバックル付き固定金具４７に関してみれば、その一端が前方下方より掛け止めされているから、後部薬液タンクの４１の後部側取付孔７９に対して、固定金具４７を後方から当接させて着脱可能に固定しているものと解することができる。
　そして、一般に物品を着脱可能に固定する場合、当該物品の後部に嵌合孔、切欠部などの固定溝を設け、固着具の固定部材をこの固定溝に嵌合させて後方から当接させることは、例えば、実公昭３６−６９１７号公報、実公昭４６−２１４４５号公報にみられるように、周知の固定態様にすぎない。
　してみると、相違点３に係る本件発明の構成要件は、引用発明１における薬剤タンク８を、引用発明２にみられるような、薬液タンクの後部に対して、固定金具を薬液タンクの後方から当接させて着脱可能に固定する手段を適用する際、上記周知の固定態様を適用することにより、当業者が容易に想到することができたものというべきである。
　
（４）相違点４について
　本件発明と引用発明１とは、「運転席は薬液タンクで横側方の一部と後方が覆われ」の限度で一致している。
　そして、前述のとおり、運転席とタンクの関係について、引用発明３には、運転席３を肥料貯留タンク１２で横側方と後方が覆うことが示されているから、相違点４に係る本件発明の構成要件は、引用発明１に引用発明３の運転席と肥料貯留タンクの関係についての技術思想を適用することにより、当業者が容易に想到することができたものというべきである。
　
（５）作用効果
　本件発明が奏する作用効果は、引用発明１、２、３及び上記周知の固定態様に基づいて、当業者が予測できる範囲を超えるものではない。
　
５．むすび
　したがって、本件発明は、引用発明１、２、３及び上記周知の固定態様に基づいて、当業者が容易に発明をすることができたものであるから、特許法第２９条第２項の規定により特許を受けることができない。
　よって、本件発明についての特許は、拒絶の査定をしなければならない特許出願に対してされたものであるので、結論のとおり決定する。
【異議決定日】
平成１６年４月６日（２００４．４．６）
【訂正の要旨】
審決（決定）の【理由】欄参照。
（５４）【発明の名称】
散布作業車
（５７）【特許請求の範囲】
　【請求項１】車体の前後部に略同径の前輪と後輪を備えると共に機体幅方向に一定幅のフロアを有する散布作業車において、車体の前部には薬液散布ブームを、後輪の上方には薬液タンクを着脱可能に設け
、薬液タンクの後部に設けた固定溝に対してタンク固着具の固定バーを後方から当接させて固定する構成とし
【発明の詳細な説明】
　この発明は、防除用の薬液などを散布する薬液タンクを有する散布作業車の構成に関する。
　【０００１】
　【従来の技術、及びその課題】従来、実開昭５９−７９２６７号公報に示されるように、機体の前後部に薬液タンクを設け、機体の後部に薬液散布ブームを設けた薬剤散布車が知られている。
　【０００２】しかしながら、この公報に記載された薬剤散布車は、乗降するフロア部がフラットな構成ではなく、しかも、運転席は左右一側にオフセットされているので前方の見通しが悪く作業性が悪い上、左右バランスも悪い欠点がある。この発明は、畝を跨いで防除作業を行う薬液散布作業車において、前後バランス及び左右バランスが良好で、しかも乗降性及び操作性に優れる薬液散布作業車を提供することを目的とするものである。
　【０００３】
　【課題を解決するための手段】この発明は、前記課題を解決するため以下のように構成した。即ち、車体の前後部に略同径の前輪と後輪を備えると共に機体幅方向に一定幅のフロアを有する散布作業車において、車体の前部には薬液散布ブームを、後輪の上方には薬液タンクを着脱可能に設け、
薬液タンクの後部に設けた固定溝に対してタンク固着具の固定バーを後方から当接させて固定する構成とし
　【０００４】
　【発明の実施の形態】以下、この発明の実施の形態を添付した図面に基づいて説明する。散布作業車９は、図１、図２に示すように、車体前部にエンジン１４を設け、このエンジン１４後部にこの回転動力を伝達する伝導機構を設けた伝導ケース２１を連結し、更に同ケース２１の左右両側部には後方に向かって延設した主フレーム１１，１１を設け車体の主枠を形成している。
　【０００５】また、主フレーム１１，１１の後端部には、車軸駆動ケース２２を設けこの後輪車軸２２ｓに後輪１，１を軸支した構成となっている。そして、前記エンジン１１の回転動力を伝導ケース２１内の伝導機構を介して伝達し、更に主フレーム１１，１１内を経て後輪１，１を駆動する構成となっている。また、前記伝導ケース２１の後部からは、左右主フレーム１１，１１間に駆動軸２３を突設して設け、後述する薬液などの液体を圧送する液体ポンプ３ａを駆動する構成となっている。
　【０００６】また、主フレーム１１，１１の前部には、前フレーム１２を連結しこの前フレーム１２の前端部に墳霧部３７を連結するヒッチ１３を設けている。前記墳霧部３７は、薬液等を送る管状のブーム部３７ａと、これに取り付けたノズル３７ｂ等から構成され、散布作業時には車体に対してこのブーム３７ａを左右に広げて走行するものである。前記エンジン１４は、この前方をフロントグリル１７で覆い、上方をボンネット１５、またこの左右両側を側方カバー１６で覆っている。そして、ボンネット１５後部に計器板１８を設け、この上方にステアリングハンドル１９を突出して設けている。
　【０００７】次に散布作業車９の運転座席４の構成について説明する。前記主フレーム１１、１１の上方には左右方向及び前後方向において連続する略平坦なフロア２０を設け、このフロア２０の後端部に後輪１，１の上方を覆う左右フェンダー２，２を接続して設けている。そして、この左右フェンダー２，２間のフロア２０上で、且つ側面視で前記後輪１，１を支持する車軸駆動ケース２２の前方に、Ｌ字状の支持フレーム６を立設して設け、この上部に運転座席４を取り付けた構成となっている。これにより、運転座席４に座る運転者の体重は前後輪１０，１の車軸間にかかり、重量配分を極力車体中心側に寄るように図られている。
　【０００８】次に車体の後部について説明する。前記主フレーム１１，１１の後方には支持軸２４を設け、これに２点リンク機構のアーム２５を回動自在に連結している。また、主フレーム１１の後端部には機枠２７を設けこれに油圧シリンダー２８を回動自在に設けている。そして、前記アーム２５の回動基部に駆動アーム２６を設け、この駆動アーム２６を油圧シリンダー２８のピストンに連結した構成となっている。
　【０００９】これにより、この油圧シリンダー２８のピストンを伸縮してアーム２５上下回動する構成となっている。また、アーム２５の後端部には、リヤーヒッチ２９を設け、このリヤーヒッチ２９の内部に薬液等の液体を圧送するポンプ３ａを設け、この上方を略平面上の覆い板７で覆っている。そして、このポンプ３ａは自在継手３ｂを介して前記駆動軸２３と連動連結している。
　【００１０】一方、前記アーム２５の中間部と機枠２７の下部には、夫れ夫れ係止穴３０、３１を開口し、この両係止穴３０，３１に係止ピンを挿通することにより、アーム２５を機枠２７に対して固定する構成となっている。これにより、このアーム２５を固定したときには、前記フェンダー２の上面２ａと、覆い板７が略平面を形成して、液体タンク載置延設部を構成する。
　【００１１】液体タンク３２は、図３、及び図４に示すように、この上部に投入口４２を開口している。そして上面視で、前方を開放した上下凹部３３を設け、この上下凹部３３の先端部を一定距離だけ残して左右下部を連結し前後凹部３４を形成した構成となっている。また、タンク３２の後部には左右一定長さのタンク固定溝４０を形成している。
　【００１２】そして、液体タンク３２を車体に取り付ける時には、前記上下凹部３３内に運転座席４を挟み込み、前後凹部３４の先端部が支持フレーム６に規制されるまで同タンク３２を押し込む。そして、リヤヒッチ２９に設けたタンク固着具３５の固定バー４１を前記固定溝４０に当接した状態で、この固定バー４１を締め付けネジ３６にて締め付けて固定する。
　【００１３】これにより、薬液等を充填して車体が旋回する場合、液体タンク３２が横方向にずれることがあっても、運転座席４、或いはこの支持フレーム６に接当することとなるのでこの横ずれを規制することができる。また、運転座席４の下方に下部空間５を形成しここに液体タンク３２の一部を配置する構成としたので、車輌が荒れ地を走行する場合でも、このタンク３２の上下バウンドを規制することができる。また、上記液体タンク３２の一部は、前記車軸駆動ケース２２の上方へ位置することとなるので、このタンク３２のすべてを車軸駆動ケース２２の後方に配置することと比較して、重心位置が車体の中心部（操向時の旋回支点）に近くなり操向時にも車体が大きく振られることが無くなる。
　【００１４】また、この散布作業車は、薬液タンク３２に前方を開放した凹部を設け、この凹部に運転座席４を設ける構成としたので、従来、車体の端部にタンクを設ける構成と比較して、タンク容量を同じくしてより低重心とすることができ、更に、二点リンク機構のアーム２５に薬液ポンプ３ａを設けたことで、車上のスペースを有効に活用でき、他種作業に対応できる前後長の短い、コンパクトな車両形態を構成することができる。
　【００１５】
　【発明の効果】この発明は、車体の前後部に略同径の前輪と後輪を備えると共に機体幅方向に一定幅のフロアを有する散布作業車において、車体の前部には薬液散布ブームを、後輪の上方には薬液タンクを着脱可能に設け、
薬液タンクの後部に設けた固定溝に対してタンク固着具の固定バーを後方から当接させて固定する構成とし、
　【００１６】そして、ブームの収納時には後側を高く前側を低くした傾斜状態となっているので、走行時に薬液散布ブームが前方視界を妨げる恐れがなく、非作業時の走行操作を容易にすることができる。又、前後輪が略同径であるため地上高は高く取れて畝も跨ぎ易く、機体幅方向に一定の幅を有するフロアを利用して容易に乗降できるものである。
【図面の簡単な説明】
　【図１】車体の全体側面図。
　【図２】車体の主枠を示す側面図。
　【図３】車体に液体タンク、及び噴霧部を装着したときの全体側面図。
　【図４】薬液タンクの断面図。
　【符号の説明】
　３ａ　薬液ポンプ
　４　　運転座席
　９　　散布作業車
　２５　　アーム
　３２　　液体タンク
　３３　　上下凹部